(57)【要約】      （修正有）【課題】陰イオン発生器の単独での作動を可能とし、かつ照明としても利用可能にするため、一筺体にて組まれていた照明機能部分と、陰イオン発生機能部分を分離し、かつ着脱可能な横造とすることで、使用用途の拡大、また各部品の寿命の有効な活用にも貢献できるよう、機構を提供する。【解決手段】フィラメント１２を内包するガラスバルブ11とそれを固定する台座13、またフィラメント12と接続端子「オス」14と結ぶケーブル線により形成された蛍光管部15と、陰イオン発生器16と点灯回路17が各々電源ソケット18に接続され、点灯回路17はケーブル線を介して接続端子「メス」19とに結ばれ、これらを内蔵する本体部20には陰イオン放出孔21を設けてあり、蛍光管部15と本体部20を分離、着脱可能とする。【選択図】図２
2010027585.tif 000002
【特許請求の範囲】
【請求項１】
電源ソケットを有した陰イオン発生器内蔵電球型蛍光灯において、電源ソケットに接続された陰イオン発生器を内蔵し、同じく電源ソケットに接続された点灯回路は接続端子「メス」に接続されている本体部と、台座に接続端子「オス」を設け、接続端子「オス」はフィラメントに接続され、ガラスバルブに内包されている蛍光管部とに分離させ、陰イオン発生器単独でも作動可能とする着脱可能な陰イオン発生器内蔵電球型蛍光灯。
【発明の詳細な説明】
【技術分野】
【０００１】これまでの陰イオン発生器内蔵電球型蛍光灯図１は、放電ガスが封入されたガラスバルブ１と、そのガラスバルブ１に内包されたフィラメント２が内部ケーブル３により、本体カバー４に内蔵された点灯回路５に接続され、また点灯回路５は電源ソケット６に接続されている。【０００２】  同じく電源ソケット６に接続された陰イオン発生器７は、陰イオン発生器７より出た陰イオン発生ケーブルの端部から陰イオンを放出している。【０００３】  この陰イオン発生器内蔵電球型蛍光灯は、陰イオンによる空気清浄器を兼ねた電球型蛍光灯として利用されている。しかしこれまでの形状図１では陰イオン発生機能と照明機能とが同時に作動し、陰イオン発生器７単独で利用することはできなかった。【０００４】  電球用のソケット６より同時に電源を受けられることで、空気清浄機能の役割を持つ陰イオン発生器７を簡易に設置できた陰イオン発生器内蔵電球型蛍光灯であるが、昼間や夜間など、照明が不要な時間や場所では、照明を落とすために電源が切られ、同時に陰イオン発生器による空気清浄機能も停止せざるを得なかった。
【発明の開示】
【発明が解決しようとする課題】
【０００５】  本発明は、図１のように一筺体で組み立てられていた陰イオン発生器内蔵電球型蛍光灯の照明機能部分と、陰イオン発生機能部分を分離し、着脱可能にし、
用途に応じて照明の不要な場合でも陰イオン発生器７を作動させ、空気清浄機能を得られる機構を提供するものである。【０００６】  また、点灯回路５やフィラメント２、陰イオン発生器７は、各々に寿命差があるにも関わらず、一体型にて組み立てられているため、リサイクル、リユースが可能な部品までもが同時に廃棄の扱いを受けている問題がある。【０００７】省エネ、エコロジーの観点からも各部品をリサイクル、リユースが可能な形状にて提供する分離式陰イオン発生器内蔵電球型蛍光灯である。
【課題を解決するための手段】
【０００８】  従来の陰イオン発生器内蔵電球型蛍光灯  図１は電源を受けるソケット６より、一つは陰イオン発生器７にケーブルで接続され、また一方は点灯回路５にケーブル接続され、点灯回路５に結線された内部リード線は放電ガスが封入されたガラスバルブ１内のフィラメント２に接続されている。【０００９】また、これら陰イオン発生器７、点灯回路５とガラスバルブ１は一つの本体カバー４に組み込まれていた。【００１０】  本発明の特徴によれば、図２に示すよう、フィラメント１２を内包するガラスバルブ１１とそれを固定する台座１３、またフィラメント１２と接続端子「オス」１４を結ぶケーブル線により形成された蛍光管部１５と、陰イオン発生器１６と点灯回路１７が各々電源ソケット１８に接続され、点灯回路１７はケーブル線を介し接続端子「メス」１９とに結ばれ、これらを内蔵する本体部２０には陰イオン放出孔２１を設けてあり、蛍光管部１５と本体部２０を分離、着脱可能とすることで課題を解決する。【００１１】  このよう、蛍光管部１５と陰イオン発生器１６を内蔵した本体部２０を分離することで昼間や夜間など照明が不要の場合に蛍光管部１５のみを取り外し、
本体部２０だけで陰イオン発生器としての利用が可能となる機構である。【００１２】  この蛍光管部１５の台座１３に取り付けられた接続端子「オス」１４と、本体部２０の接続端子「メス」１９を接点とし組み合わせれば、照明装置として点灯し、同時に陰イオン発生器１６も作動することが可能となる。【００１３】  本体部２０に点灯回路１７を組み込むことは点灯回路１７寿命とガラスバルブ１１に内包されたフィラメント１２寿命に数倍の差があり、一般蛍光灯と同様に消耗の激しい蛍光管部１５を切り離し、交換可能にするためである。【００１４】  また、本体部２０に内蔵した陰イオン発生器１６は点灯回路１７の寿命に比較して更に数倍の寿命を持つことから、点灯回路１７の寿命後には蛍光管部１５を利用せず、本体部２０を陰イオン発生器単体として、その後、利用することも可能となる。【００１５】  このことは、各部品の寿命を有効活用でき、またリサイクルやリユースに貢献する機構として提供するものである。【００１６】  また、蛍光管部１５と本体部２０を着脱可能にさせる機構として、その接続強度を得るため、蛍光管部１５の台座１３に固定された接続端子「オス」１４は、一例として図３、３１のように凸型の円柱形状にて作成される。【００１７】  また本体部２０には蛍光管部１５の接続端子「オス」１４を受け入れる為の凹型挿入孔を設け、接続端子「メス」１９は、図３、３３に示すよう凹型挿入孔の下部に設ける。また挿入された接続端子「オス」１４と接続端子「メス」１９が確実な接点が得られるよう、また接続強度、接触の不具合を回避するため接続端子「メス」１９は図３、３２のよう波型に成型されている。【００１８】  蛍光管部１５を本体部２０に装着する際は蛍光管部１５の接続端子「オス」１４を、本体部２０凹型挿入孔のＡ位置（図４）に差し込み、Ａ‘位置（図４）へ弧を描くよう回転させ、上述の波型に成型された接続端子「メス」１９に接続固定される。【００１９】  上記接続方法は一例であり、接続方法には図５で示すよう、ピン端子による挿入接続なども考えられ、用途に応じた形状が設定可能であることは本発明の応用の域となる。
【発明の効果】
【００２０】  これまでの陰イオン発生器内蔵電球型蛍光灯は、同一のソケットより電源受け、空気清浄を目的とした陰イオン発生器と、電球型蛍光灯による照明が同時には可能であった。本発明により蛍光管部１５と、陰イオン発生器１６を内蔵する本体部２０とを分離、着脱機能を持たせることにより、陰イオン発生器１６単体での作動が可能となった。【００２１】  また、点灯回路１７や、特に陰イオン発生器１６が数倍以上長寿命なのに比較し、短寿命であるフィラメント１２を内包した蛍光管部２０の交換が可能となり、消耗した部品の取り換えが可能であり、製品のリサイクル使用、また部品寿命を有効に活用したリユースが可能となった。【００２２】また、本発明によって、同一規格（消費電力等）の他の光色や色相への変更・交換が可能となり、寿命を迎えたガラスバルブを交換するなど、本体部の再利用が可能となる。
【発明の実施するための最良の形態】
【００２３】  図２に示すよう、フィラメント１２を内包するガラスバルブ１１とそれを固定する台座１３、またフィラメント１２と接続端子「オス」１４を結ぶケーブル線により形成された蛍光管部１５と、陰イオン発生器１６と点灯回路１７が各々電源ソケット１８に接続され、点灯回路１７はケーブル線を介し接続端子「メス」１９とに結ばれ、これらを内蔵する本体部２０に分離、着脱可能とする機構の分離式陰イオン発生器内蔵電球型蛍光灯とする。
【図面の簡単な説明】
【００２４】
【図１】  陰イオン発生器を内蔵した電球型蛍光灯
【図２】  陰イオン発生器本体部と蛍光管部を分離した正面図
【図３】  陰イオン発生器本体部と蛍光管部の接続機構の図
【図４】  （上図）蛍光管部底面図と（下図）陰イオン発生器本体部平面図
【図５】  （図３）とは異なる接続例の図
【符号の説明】
【００２５】１１    ガラスバルブ
１２    フィラメント
１３    台座
１４    接続端子「オス」
１５    蛍光管部
１６    陰イオン発生器
１７    点灯回路
１８    電源ソケット
１９    接続端子「メス」
２０    本体部
２１    陰イオン放出孔
【図１】
2010027585.tif 000003
【図２】
2010027585.tif 000004
【図３】
2010027585.tif 000005
【図４】
2010027585.tif 000006
【図５】
2010027585.tif 000007